(57)【要約】  情報処理装置に搭載可能に構成され、当該情報処理装置の異常を検出してアラーム信号を出力する機能を備えた監視装置において、前記異常を検出することによりアラーム信号を生成するアラーム信号生成部と、前記アラーム信号生成部により生成された前記アラーム信号を格納するアラーム信号格納部と、前記アラーム信号格納部に格納された前記アラーム信号を外部に出力するアラーム信号出力部と、前記監視装置が待機状態にある場合に、運用状態にある他の監視装置から出力されたアラーム信号を入力する入力部と、前記入力部により前記監視装置に入力された前記アラーム信号を前記アラーム信号格納部に格納させるための指示信号を前記アラーム信号格納部に出力するアラーム信号格納指示部とを備える。
2008149426.tif 000002
【特許請求の範囲】
【請求項１】
情報処理装置に搭載可能に構成され、当該情報処理装置の異常を検出してアラーム信号を出力する機能を備えた監視装置であって、
前記異常を検出することによりアラーム信号を生成するアラーム信号生成部と、
前記アラーム信号生成部により生成された前記アラーム信号を格納するアラーム信号格納部と、
前記アラーム信号格納部に格納された前記アラーム信号を外部に出力するアラーム信号出力部と、
前記監視装置が待機状態にある場合に、運用状態にある他の監視装置から出力されたアラーム信号を入力する入力部と、
前記入力部により前記監視装置に入力された前記アラーム信号を前記アラーム信号格納部に格納させるための指示信号を前記アラーム信号格納部に出力するアラーム信号格納指示部と
を備えたことを特徴とする監視装置。
【請求項２】
前記アラーム信号格納指示部は、前記監視装置の状態を待機状態から運用状態に切り替えるための状態切り替え信号を検出したことに応じて、前記指示信号を前記アラーム信号格納部に出力する請求項１に記載の監視装置。
【請求項３】
前記アラーム信号格納指示部は、前記指示信号を周期的に前記アラーム信号格納部に出力する請求項１又は２に記載の監視装置。
【請求項４】
前記アラーム信号格納指示部は、前記入力部から入力された前記アラーム信号を検出したことに応じて、前記指示信号を前記アラーム信号格納部に出力する請求項１又は２に記載の監視装置。
【請求項５】
運用状態及び待機状態のうちのいずれかの状態をとる監視装置を複数備えた情報処理装置であって、各監視装置は、
前記情報処理装置の異常を検出することによりアラーム信号を生成するアラーム信号生成部と、
前記アラーム信号生成部により生成された前記アラーム信号を格納するアラーム信号格納部と、
前記アラーム信号格納部に格納された前記アラーム信号を外部に出力するアラーム信号出力部と、
前記監視装置が待機状態にある場合に、運用状態にある他の監視装置から出力されたアラーム信号を入力する入力部と、
前記入力部により前記監視装置に入力された前記アラーム信号を前記アラーム信号格納部に格納させるための指示信号を前記アラーム信号格納部に出力するアラーム信号格納指示部と
を備えたことを特徴とする情報処理装置。
【請求項６】
前記情報処理装置は、インターフェース部とスイッチ部とを含む通信装置である請求項５に記載の情報処理装置。
【請求項７】
運用状態及び待機状態のうちのいずれかの状態をとる監視装置を複数備えた情報処理装置におけるアラーム信号出力方法であって、
運用状態にある第１の監視装置が、前記情報処理装置の異常を検出することによりアラーム信号を生成し、当該アラーム信号を外部に出力し、
待機状態にある第２の監視装置が、前記第１の監視装置から出力された前記アラーム信号を入力し、当該入力された前記アラーム信号を前記第２の監視装置のアラーム信号格納部に格納させるための指示信号を前記アラーム信号格納部に出力し、
前記第２の監視装置の前記アラーム信号格納部は前記アラーム信号を格納し、
前記第２の監視装置が、当該第２の監視装置の状態を待機状態から運用状態に切り替えるための状態切り替え信号を検出したことに応じて、前記アラーム信号格納部に格納された前記アラーム信号を外部に出力する
ことを特徴とするアラーム信号出力方法。
【請求項８】
前記第２の監視装置は、前記状態切り替え信号を検出したことに応じて、前記指示信号を前記アラーム信号格納部に出力する請求項７に記載のアラーム信号出力方法。
【請求項９】
前記第２の監視装置は、前記指示信号を周期的に前記アラーム信号格納部に出力する請求項７又は８に記載のアラーム信号出力方法。
【請求項１０】
前記第２の監視装置は、前記アラーム信号の入力を検出したことに応じて、前記指示信号を前記アラーム信号格納部に出力する請求項７又は８に記載のアラーム信号出力方法。
【発明の詳細な説明】
【技術分野】
【０００１】
本発明は、伝送装置等の情報処理装置に搭載され、当該情報処理装置の異常を検出した場合にアラーム信号を出力する監視装置に関するものである。
【背景技術】
【０００２】
伝送装置等の通信装置は、当該装置内部に異常が発生したことを検出し、外部にアラーム信号を出力する監視手段を備えるのが一般的である。このような監視手段による異常監視／出力機能はハウスキーピング機能もしくはオフィスアラーム機能と呼ばれる。【０００３】
このような監視手段を備えた伝送装置１０の外観例と監視手段に接続される装置の例を図１に示す。図１に示すように、この伝送装置１０は、インターフェース部１、スイッチ部３、制御部５をそれぞれパッケージとして備えている。制御部５が上記監視手段に対応する。また、この伝送装置１０は、アラーム信号及び制御信号を入出力するためのインターフェース部として１つの入出力インターフェース部７を備えている。【０００４】
図１の例では、スイッチ部３と制御部５がそれぞれ待機系と運用系からなる２重化構成とされている。制御部５は、アラーム信号出力等の異常監視機能に加えて伝送装置１０の各部の設定を行なう制御機能を備えるものである。また、制御部５は、入出力インタフェース部７を介して警報表示ＬＥＤ／警報ブザー装置９、オペレーションを行う監視制御装置１１、もしくは他の伝送装置１３に接続される。伝送装置１０はこれらのうち全部に接続されてもよいし、一部に接続されてもよい。【０００５】
図２に、図１に示す伝送装置１０の内部構成例を示す。インターフェース部１、スイッチ部３、制御部５、及び入出力インタフェース部７は図２に示すとおりの接続構成をとっている。一般に伝送装置１０の主信号はインターフェース部１から入力され、スイッチ部３を介して他のインタフェース部１から出力される。制御部５は、伝送装置１０を構成する各部と接続されており、伝送装置１０におけるいずれかの部分において障害が発生した場合はそれを検出することができる。【０００６】
図３に、制御部５に係る構成を示す。図３に示すように、２つの制御部５１、５２がワイヤードORにより伝送装置１０のバックボード２０に接続される。また、２つの制御部５１、５２はバックボード２０を介して入出力インタフェース部７に接続されている。図３に示す例では、制御部５１が運用系であり、制御部５２が待機系である状態を示している。なお、以下、運用系と待機系を示す用語として一般的に用いられている用語であるACT（ACTive）系とSTBY(STandBY)系を用いることにする。つまり、ACT系は運用状態にあることを示し、STBY系は待機状態にあることを示す。【０００７】
制御部５１は、異常検出部６１、CPU６２、レジスタ部６３、出力制御部６４、出力部６５、及び入力部６６を有する。これらはそれぞれハードウェアで構成される。異常検出部６１は、伝送装置１０内の異常を検出する。CPU６２は、ソフトウェアによる制御に基づき、異常検出部６１からの異常検出信号を受けてアラーム信号を生成する機能、及び外部からの制御信号等に基づき制御動作を行う機能を少なくとも有する。【０００８】
レジスタ部６３は例えばCPLD（Complex Programmable Logic Device）により実現され、出力用レジスタ部６３１と入力用レジスタ部６３２を有する。出力制御部６４は、バッファにより構成されており、制御部５１がACT系であるときにONとなりアラーム信号の出力を行い、制御部５１がSTBY系であるときにOFFとなりアラーム信号の出力は行わない。出力部６５は、リレー等の地気回路であり、制御部５１がACT系であるときにONとなりアラーム信号の出力を行い、制御部５１がSTBY系であるときにOFFとなり、アラーム信号の出力を行わない。また、入力部６６もリレー等の地気回路であり、制御部５１がACT系であるときにONとなり外部からの制御信号等の入力を行い、制御部５１がSTBY系であるときにOFFとなり、信号入力を行わない。【０００９】
バックボード２０はACT系の制御部５１とSTBY系の制御部５２とをワイヤードORで接続する。また、バックボード２０は入出力インタフェース部７から入力された信号をACT系の制御部５１とSTBY系の制御部５２に供給する機能と、ACT系の制御部５１もしくはSTBY系の制御部５２から出力されたデータを入出力インタフェース部７に出力する機能を有している。制御部５２も制御部５１と同様の構成を有している。【００１０】
図３に示す構成において、異常検出部６１が伝送装置１０の障害を検出すると、アラーム信号がCPU６２で生成され、出力用レジスタ部６３１、出力制御部６４、出力部６５を介して外部に出力される。また、制御信号等の入力があると、ACT系の制御部５１における入力部６６がその信号を入力し、入力用レジスタ部６３２を介してCPU６２に送られ、CPU６２が制御信号に対応した動作を実行する。【００１１】
また、図３に示す構成において、ACT系の制御部５１が自身の異常を検知すると、それがSTBY系の制御部５２に通知され、STBY系はACT系に切り替わる動作を行う。また、ACT系の制御部５１はSTBY系に切り替わる動作を行う。なお、外部からの指示により系の切り替えを行う場合もある。切り替え時の動作を次に説明する。切り替え時においてACT系の制御部５１はアラーム信号を出力している状態であるものとする。【００１２】
ACT系への切り替えを行うことを示すACT／STBY指示信号（以下、系切り替え制御信号と呼ぶ）を受けた現STBY系の制御部５２は、CPU７２によりソフトウェアの起動を行う。そして、制御部５２はソフトウェアが起動したことによりACT系になり、ソフトウェア制御により前ACT系の制御部５１の情報を引き継ぎ、内部の設定を行う。その後、制御部５２はアラーム信号出力のための設定を行い、前ACT系で出力されていたアラーム信号の出力を行う。【００１３】
なお、本願に関連する先行技術文献として特許文献１がある。特許文献１には、回線劣化警報により自動的に現用回線および予備回線の切り替えを行うディジタル通信回線の監視方式が記載されている。    
【特許文献１】特開平０３−００７４３９号公報
【発明の開示】
【発明が解決しようとする課題】
【００１４】
上記の切り替え動作におけるアラーム信号出力のタイミングチャートを図４に示す。図４に示すタイミングチャートの参照記号は、図３に示す制御部５１及び５２内の参照記号に対応するものである。図４（ｂ）に示すように、ACT系の制御部５１が伝送装置１０の異常を検知してアラーム信号の出力を行っているときに、系の切り替えを要する事象が発生し、系切り替え制御信号が制御部５２に供給されると、現ACT系の制御部５１から出力されていたアラーム信号は出力されなくなる。一方、図４（ｃ）に示すように、制御部５２においてはソフトウェアが起動し、ACT系として動作可能な状態になった後に始めてアラーム信号出力を行う。従って、図４（ａ）に示すA〜Bの区間ではアラーム信号出力が途切れることになる。系の切り替えが原因でアラーム信号が途切れることは装置監視の運用上好ましくない。【００１５】
この問題を解消するために、STBY系の制御部５２をホットスタンバイ状態とし、STBY系とACT系とでアラーム状態を常に一致させておくことが考えられる。しかし、ホットスタンバイ状態を実現するには、STBY系の制御部５２が常にACT系の制御部５１と同等の処理を行いつつ、情報の変化が発生するたびにデータの整合をとる必要があり、ソフトウェアでの制御は困難であるという問題がある。【００１６】
本発明は上記の問題点に鑑みてなされたものであり、冗長構成を採用した監視手段において系の切り替えを行う際にアラーム信号の出力断が発生しないようにする技術を提供することを目的とする。
【課題を解決するための手段】
【００１７】
上記の目的は、情報処理装置に搭載可能に構成され、当該情報処理装置の異常を検出してアラーム信号を出力する機能を備えた監視装置であって、前記異常を検出することによりアラーム信号を生成するアラーム信号生成部と、前記アラーム信号生成部により生成された前記アラーム信号を格納するアラーム信号格納部と、前記アラーム信号格納部に格納された前記アラーム信号を外部に出力するアラーム信号出力部と、前記監視装置が待機状態にある場合に、運用状態にある他の監視装置から出力されたアラーム信号を入力する入力部と、前記入力部により前記監視装置に入力された前記アラーム信号を前記アラーム信号格納部に格納させるための指示信号を前記アラーム信号格納部に出力するアラーム信号格納指示部とを備えたことを特徴とする監視装置により達成できる。
【発明の効果】
【００１８】
本発明によれば、監視装置が待機状態にある場合に、当該監視装置は運用状態にある他の監視装置から出力されたアラーム信号を取得し、そのアラーム信号をアラーム信号格納部に格納するので、系切り替え事象が発生した場合に、ソフトウェアの起動を待つことなくすぐにアラーム信号出力部からアラーム信号を出力できる。従って、本発明によれば、系の切り替えを行う際にアラーム信号の出力断が発生しないようにする技術を提供できる。
【図面の簡単な説明】
【００１９】
【図１】従来の伝送装置１０の外観を示す図である。
【図２】伝送装置１０の内部構成例を示す図である。
【図３】伝送装置１０における制御部５に係る構成を示す図である。
【図４】従来技術におけるアラーム信号出力のタイミングチャートである。
【図５】第１の実施の形態における制御部１１０、１２０の構成を示す図である。
【図６】ACT／STBY系切り替え時における制御部１１０、１２０のアラーム出力動作を説明するための図である。
【図７】第１の実施の形態におけるアラーム信号出力のタイミングチャートである。
【図８】ラッチ指示部１６２の回路構成の一例を示す図である。
【図９】ラッチ指示部１６２の動作を説明するためのタイミングチャートである。
【図１０】第２の実施の形態における制御部２１０、２２０の構成を示す図である。
【図１１】ACT／STBY系切り替え時における制御部２１０、２２０のアラーム出力動作を説明するためのタイミングチャートである。
【図１２】第２の実施の形態におけるアラーム信号出力のタイミングチャートである。
【図１３】第３の実施の形態における制御部３１０、３２０の構成を示す図である。
【図１４】ACT／STBY系切り替え時における制御部３１０、３２０のアラーム出力動作を説明するためのタイミングチャートである。
【図１５】第３の実施の形態におけるアラーム信号出力のタイミングチャートである。
【図１６】第４の実施の形態における制御部４１０、４２０の構成を示す図である。
【図１７】ACT／STBY系切り替え時における制御部４１０、４２０のアラーム出力動作を説明するためのタイミングチャートである。
【図１８】第４の実施の形態におけるアラーム信号出力のタイミングチャートである。
【符号の説明】
【００２０】
１０、１３  伝送装置
１  インターフェース部
３  スイッチ部
５、５１、５２、１１０、１２０、２１０、２２０、３１０、３２０、４１０、４２０  制御部
７、１４０、２４０、３４０、４４０  入出力インタフェース部
９  警報表示ＬＥＤ／警報ブザー装置
１１  監視制御装置
２０、１３０、２３０、３３０、４３０  バックボード
６１、７１、１１１、１２１、２１１、２２１、３１１、３２１、４１１、４２１  異常検出部
６２、７２、１１２、１２２、２１２、２２２、３１２、３２２、４１２、４２２    CPU
６３、７３、１１３、１２３、２１３、２２３、３１３、３２３、４１３、４２３  レジスタ部
６３１、７３１、１５１、１６１、２５１、２６１、３５１、３６１、４５１、４６１  出力用レジスタ部
１５２、１６２、２５２、２６２、３５２、３６２、４５２、４６２、４５３、４６３  ラッチ指示部
６３２、７３２、１５３、１６３、２５３、２６３、３５３、３６３、４５４、４６４  入力用レジスタ部
６４、７４、１１４、１２４、２１４、２２４、３１４、３２４、４１４、４２４  出力制御部
６５、７５、１１５、１２５、２１５、２２５、３１５、３２５、４１５、４２５  出力部
１１６、１２６、２１６、２２６、３１６、３２６、４１６、４２６  選択部
６６、７６、１１７、１２７、２１７、２２７、３１７、３２７、４１７、４２７  入力部
【発明を実施するための最良の形態】
【００２１】
以下、図面を参照して本発明の実施の形態について説明する。本実施の形態において、本発明に係る監視装置の一例である制御部が搭載される装置は図１及び図２に示した伝送装置である。【００２２】
（第１の実施の形態）
図５に、第１の実施の形態における制御部１１０、１２０の構成を示す。図５は、制御部１１０がACT系であり、制御部１２０がSTBY系である状態を示している。本実施の形態では、ACT系の制御部１１０から出力されたアラーム信号が、バックボード１３０を介してSTBY系の制御部１２０に入力される構成となっている。また、図５において、点線は系切り替え制御信号（図５ではACT/STBY指示信号と記載している）を示している。【００２３】
制御部１１０と制御部１２０の構成は同じである。ここでは制御部１２０の構成を従来技術との違いを中心に説明する。制御部１２０は、異常検出部１２１、CPU１２２、レジスタ部１２３、出力制御部１２４、出力部１２５、入力部１２７、及び選択部１２６を有する。異常検出部１２１、CPU１２２、出力制御部１２４、出力部１２５、及び入力部１２７は従来技術における対応する部位と同様のものである。また、これらの部位はハードウェアで構成されている。【００２４】
ACT系の制御部１１０から出力されたアラーム信号はバックボード１３０からSTBY系の制御部１２０に入力され、STBY系の制御部１２０内で分岐してSTBY系の選択部１２６に入力される。選択部１２６は、制御部１２０がSTBY系の状態の時に、ACT系から出力されSTBY系に入力されたアラーム信号を選択して入力し、入力部１２７に出力する機能を有している。入力部１２７は、出力用レジスタ部１６１及び入力用レジスタ部１６３に接続されている。【００２５】
また、選択部１２６は、ACT系の状態にある時には、入出力インタフェース部１４０を介して外部から入力される信号を選択して入力し、入力部１２７に出力する。選択部１２６は例えばリレー回路を用いて実現することができ、入力部１２７は例えばフォトカプラを用いた地気回路として実現できる。【００２６】
図５に示す制御部１２０のレジスタ部１２３は例えばCPLDにより実現され、出力用レジスタ部１６１、入力用レジスタ部１６３、及びラッチ指示部１６２を有している。ラッチ指示部１６２は、STBY時にONとなり、ACT時にOFFとなる。ラッチ指示部１６２は、STBYからACTへの系切り替え制御信号を検出したことを契機に、出力用レジスタ部１６１に対し、選択部１２６及び入力部１２７を介して入力されたアラーム信号の取り込みを指示するラッチ指示機能を有している。【００２７】
次に、図６に示すシーケンスチャートを参照して、ACT／STBY系切り替え時における制御部１１０、１２０のアラーム出力動作について説明する。【００２８】
図６では、制御部１１０、１２０それぞれのソフトウェア及びハードウェアの動作を示している。なお、以下の説明の中でのソフトウェアが主体となっている動作は、プログラムがCPUで実行されて実現される動作である。【００２９】
まず、制御部１１０がACT系であり、制御部１２０がSTBY系であり、それぞれのソフトウェアは各系に対応した通常状態での動作を行っている（ステップ１）。伝送装置のある部位において異常が発生すると、ACT系の制御部１１０の異常検出部１１１がそれを検出し、CPU１１２に通知する（ステップ２、３）。その後、CPU制御によりソフトウェアはアラーム信号の出力を行う状態（アラーム状態という）になる（ステップ３、４）。【００３０】
また、CPU１１２はアラーム信号を出力用レジスタ部１５１に書き込み、出力用レジスタ部１５１から出力制御部１１４にアラーム信号が送出され（ステップ５）、出力制御部１１４にアラーム信号が書き込まれ、アラーム信号は出力部１１５に送出される（ステップ６）。そして出力部１１５からバックボード１３０と入出力インタフェース部１４０を介してアラーム信号が外部に出力される（ステップ７）。【００３１】
ACT系の制御部１１０から出力されたアラーム信号は外部に出力されるとともに、バックボード１３０を介してSTBY系の制御部１２０に入力される。入力されたアラーム信号はSTBY系の選択部１２６、及び入力部１２７を介して出力用レジスタ部１６１に到達する（ステップ８）。【００３２】
この状態において、ステップ２で検出された異常もしくはその他の障害が原因で系の切り替え事象が発生したものとする（ステップ９）。ACT系の制御部１１０内の各部にはACT系からSTBY系に系を切り替えることを指示する制御信号が供給され、STBY系の各部にはSTBY系からACT系に系を切り替えることを指示する制御信号が供給される。この制御信号は例えばACT系のCPU１１２から供給される。また、外部から供給される場合もある。【００３３】
系切り替え制御信号を受けて、ACT系の制御部１１０のソフトウェアはSTBY系になるための設定を開始し、STBY系の制御部１２０のソフトウェアはACT系になるための設定を開始する（ステップ１０、１１）。【００３４】
STBY系の制御部１２０のラッチ指示部１６２は、系切り替え制御信号を受信したことに応じて、出力用レジスタ部１６１に対してアラーム信号のラッチを指示する（ステップ１２）。出力用レジスタ部１６１にアラーム信号が書き込まれると（ステップ１３）、ソフトウェアにはアラーム状態であることが通知される。また、アラーム信号はバッファ回路である出力制御部１２４に出力される。出力制御部１２４は切り替え制御信号によりONの状態にあるため、アラーム信号を取り込み、出力部１２５に出力する（ステップ１４）。出力部１２５も系切り替え制御信号によりＯＮの状態にあるため、アラーム信号を出力する（ステップ１５）。【００３５】
その後、前にACT系であった制御部１１０はSTBY系になり、アラーム出力が解除される（ステップ１６）。また、前にSTBY系であった制御部１２０はACT系になるための設定が完了してACT系になり、ソフトウェア制御に基づくアラーム出力動作を開始する（ステップ１７）。【００３６】
次に、上記の切り替え動作における各部のアラーム信号の状態を図７に示すタイミングチャートを参照して説明する。図７に示すタイミングチャートの（ａ）、（ｂ）等の参照記号は、図５に示す参照記号に対応するものである。【００３７】
ACT系の制御部１１０において伝送装置の異常が検出されると、図７（ｂ）のタイミングチャートに示すように、ACT系の制御部１１０からアラーム信号が出力される。このとき、ACT系の制御部１１０から出力されたアラーム信号はSTBY系の制御部１２０の選択部１２６、及び入力部１２７を介して出力用レジスタ部１６１に到達している（図７（ｃ））。【００３８】
図７（ｄ）は、系の切り替え事象が発生した場合においてラッチ指示部１６２に入力される系切り替え制御信号を示している。ラッチ指示部１６２は、図７（ｄ）に示す信号の変化を検出し、図７（ｅ）に示すように、出力用レジスタ部１６１に対してラッチ指示信号としてのパルスを出力する。図７（ｆ）に示すように、出力用レジスタ部１６１は、ラッチ指示信号であるパルスを受信したことに応じて、アラーム信号を取り込み、出力する。また、図７（ｇ）に示すように、出力制御部１２４は、系切り替え制御信号を受けてON状態となっているため、出力用レジスタ部１６１から出力されたアラーム信号を取り込み、出力する。図７（ｈ）に示すように、出力部１２５も同様にしてアラーム信号を出力する。【００３９】
各部のこのような動作の結果、外部に出力されるアラーム信号は図７（ａ）に示すとおりとなる。図７（ａ）に示すように、系切り替え制御信号発生前はACT系制御部１１０からアラーム信号が出力される。系切り替え制御信号発生後は、ラッチ指示部１６２でのラッチ指示期間を除いて、制御部１２０でのソフトウェア起動を待たずに制御部１２０からアラーム信号が出力される。従って、従来技術で発生していたソフトウェア起動中にアラーム信号が途切れる問題は解消される。ただし、上述したように、ラッチ指示期間ではアラーム信号が中断する。【００４０】
本実施の形態におけるラッチ指示部１６２は、ACT／STBY指示信号の立ち上がり部分である系切り替え制御信号を検出したことに応じてパルスを出力する回路であればどのような回路でもよい。ラッチ指示部１６２の回路構成の一例を図８に示す。この回路は、データ保持回路１６４、反転回路１６５、及びＡＮＤ回路１６６を有している。図８の例では、データ保持回路１６４としてフリップフロップを使用している。図９のタイミングチャートを参照してこのラッチ指示部１６２の動作を説明する。【００４１】
系切り替え制御信号がラッチ指示部１６４に入力されると、ACT指示信号がデータ保持回路１６４で保持され、所定の時間の遅延の後にデータ保持回路１６４から出力される（図９（ｂ））。また、データ保持回路１６４からの出力信号は反転回路１６５により反転されてＡＮＤ回路１６６に入力される（図９（ｃ））。ＡＮＤ回路１６６には図９（ｃ）に示す信号と、図９（ａ）の入力信号が入力されるので、これらのＡＮＤがとられ、図９（ｄ）のＸ〜Ｙの期間においてパルスが出力される。【００４２】
（第２の実施の形態）
次に、本発明の第２の実施の形態について説明する。図１０に、第２の実施の形態における制御部２１０、２２０の構成を示す。本実施の形態の制御部２２０（制御部２１０も同様）は、ラッチ指示部２６２が第１の実施の形態のラッチ指示部１６２と異なる。その他の部分は第１の実施の形態と同様である。【００４３】
本実施の形態におけるラッチ指示部２６２は、周期的にラッチ指示信号としてのパルスを出力用レジスタ部２６１に対して出力する。これにより、ラッチ指示部２６２は系切り替え制御信号の受信を待たずにラッチ指示信号を出力用レジスタ部２６１に送出できる。【００４４】
次に、図１１に示すシーケンスチャートを参照して、ACT／STBY系切り替え時における制御部２１０、２２０のアラーム出力動作について、第１の実施の形態と異なる部分を中心に説明する。【００４５】
ステップ８までは第１の実施の形態と同じである。ステップ８において、ACT系の制御部２１０からのアラーム信号が選択部２２６及び入力部２２７を経由して出力用レジスタ部２６１に到達する。ラッチ指示部２６２は周期的にラッチ指示信号を出力しているので、系切り替え制御信号を待たずにラッチ指示部２６２はラッチ指示信号を出力用レジスタ部２６１に出力し（ステップ２１）、出力用レジスタ部２６１はアラーム信号を取り込み、出力する（ステップ２２）。アラーム信号は出力用レジスタ部２６１から出力制御部２２４に出力されるが、この時点では系切り替え制御信号は発生していないので、出力制御部２２４はOFFの状態にあり、アラーム信号の出力を行わない。【００４６】
その後、系切り替え制御信号が供給されると（ステップ２３）、出力制御部２２４はONに切り替わり、アラーム信号を出力する（ステップ２４）。また、この時点で出力部２２５もON状態にあるので、出力部２２５はアラーム信号出力を行う（ステップ２５）。【００４７】
次に、上記の系切り替え動作における各部のアラーム信号の状態を図１２に示すタイミングチャートを参照して説明する。図１２に示すタイミングチャートの参照記号は、図１０に示す参照記号に対応するものである。【００４８】
ACT系の制御部２１０において伝送装置の障害が検出されると、図１２（ｂ）のタイミングチャートに示すように、ACT系の制御部２１０からアラーム信号が出力される。このとき、ACT系の制御部２１０から出力されたアラーム信号はSTBY系の制御部２２０の選択部２２６、及び入力部２２７を介して出力用レジスタ部２６１に到達している（図１２（ｃ））。【００４９】
図１２（ｄ）に示すように、ラッチ指示部２６２は周期的にラッチ指示信号を出力している。従って、出力用レジスタ部２６１に対してアラーム信号が入力された時点以降の最初のラッチ指示信号により出力用レジスタ部２６１にアラーム信号が取り込まれ、アラーム信号の出力が行われる（図１２（ｅ））。ただし、出力制御部２２４はOFFの状態にあるため、図１２（ｆ）に示すように、出力用レジスタ部２６１からのアラーム信号出力が開始された時点では出力制御部２２４からアラーム信号は出力されない。【００５０】
その後、系切り替え制御信号が供給されると、ACT系であった制御部２１０はアラーム信号の出力を停止するが（図１２（ｂ））、系切り替え制御信号により出力制御部２２４がONになるため、出力制御部２２４からアラーム信号が出力される（図１２（ｆ））。同様に、出力部２２５からアラーム信号が出力される（図１２（ｇ））。【００５１】
各部のこのような動作の結果、外部に出力されるアラーム信号は図１２（ａ）に示すとおりとなる。系切り替え制御信号を待たずに出力用レジスタ部２６１にアラーム信号が取り込まれることから、系切り替え制御信号が供給されるとすぐに出力制御部２２４からアラーム信号を出力できる。従って、図１２（ａ）に示すように、第１の実施の形態におけるアラーム信号取り込みのための途切れなく、アラーム信号を外部に出力することができる。また、周期的のラッチ指示信号を出力するため、より確実にアラーム信号を取り込むことができる。なお、本実施の形態におけるラッチ指示部２６２はカウンタ回路等により実現することが可能である。【００５２】
（第３の実施の形態）
次に、本発明の第３の実施の形態について説明する。図１３に、第３の実施の形態における制御部３１０、３２０の構成を示す。本実施の形態の制御部３２０は、ラッチ指示部３６２が第１の実施の形態のラッチ指示部１６２と異なる。また、ラッチ指示部３６２にACT系の制御部３１０から出力されたアラーム信号が入力される点でも第１の実施の形態と異なる。制御部３１０は制御部３２０と同じ構成を有する。その他の部分は第１の実施の形態と同様である。【００５３】
本実施の形態におけるラッチ指示部３６２は、系切り替え制御信号を待たずに、アラーム信号の入力を検出したことに応じてラッチ指示信号を出力用レジスタ部３６１に送出する。ラッチ指示部３６２がアラーム信号を検出した時点で、出力用レジスタ部３６１にもアラーム信号の入力があるので、出力用レジスタ部３６１はラッチ指示部３６２からのラッチ指示信号を受けてアラーム信号の取り込み、及び出力を行うことができる。【００５４】
次に、図１４に示すシーケンスチャートを参照して、ACT／STBY系切り替え時における制御部３１０、３２０のアラーム出力動作について、第１の実施の形態と異なる部分を中心に説明する。【００５５】
ACT系制御部３１０における障害検出の後、ステップ８において、ACT系制御部３１０から出力されたアラーム信号が選択部３２６及び入力部３２７を経由してラッチ指示部３６２及び出力用レジスタ部３６１に到達する。ラッチ指示部３６２はアラーム信号のエッジを検出したことに応じてラッチ指示信号を出力用レジスタ部３６１に出力し（ステップ３１）、出力用レジスタ部３６１はアラーム信号を取り込む（ステップ３２）。アラーム信号は出力用レジスタ部３６１から出力制御部３２４に出力されるが、系切り替え制御信号は発生していないので、出力制御部３２４はOFFの状態にあり、アラーム信号の出力を行わない。【００５６】
その後、系切り替え制御信号が供給されると（ステップ３３）、出力制御部３２４はONに切り替わり、アラーム信号を出力する（ステップ３４）。また、この時点で出力部３２５もON状態にあるので、出力部３２５はアラーム信号出力を行う（ステップ３５）。【００５７】
次に、上記の系切り替え動作における各部のアラームの状態を図１５に示すタイミングチャートを参照して説明する。図１５に示すタイミングチャートの参照記号は、図１３に示す参照記号に対応するものである。【００５８】
ACT系の制御部３１０において伝送装置の障害が検出されると、図１５（ｂ）のタイミングチャートに示すように、ACT系の制御部３１０からアラーム信号が出力される。このとき、ACT系の制御部３１０から出力されたアラーム信号はSTBY系の制御部３２０の選択部３２６、及び入力部３２７を介してラッチ指示部３６２及び出力用レジスタ部３６１に到達する（図１５（ｃ）、（ｄ））。【００５９】
ラッチ指示部３６２は、アラーム信号のエッジ検出を行うことによりアラーム信号を検出し（図１５（ｃ））、それに応じてラッチ指示信号を出力する（図１５（ｅ））。図１５（ｆ）に示すように、そのラッチ指示信号を受信した出力用レジスタ部３６１はアラーム信号を取り込み、出力を行う。ただし、出力制御部３２４はOFFの状態にあるため、図１５（ｇ）に示すように、出力用レジスタ部３６１がアラーム信号を取り込んだ時点では出力制御部３２４からアラーム信号は出力されない。【００６０】
その後、系切り替え制御信号が供給されると、ACT系であった制御部３１０はアラームの出力を停止するが（図１５（ｂ））、系切り替え制御信号により出力制御部３２４がONになるため、出力制御部３２４からアラーム信号が出力される（図１５（ｇ））。同様に、出力部３２５からアラーム信号が出力される（図１５（ｈ））。【００６１】
各部のこのような動作の結果、外部に出力されるアラーム信号は図１５（ａ）に示すとおりとなる。系切り替え制御信号を待たずに出力用レジスタ部３６１にアラーム信号が取り込まれることから、系切り替え制御信号が供給されるとすぐに出力制御部３２４からアラーム信号を出力できる。従って、図１５（ａ）に示すように、アラーム信号取り込みのための途切れなく、アラーム信号を出力することができる。なお、本実施の形態におけるラッチ指示部３６２は、例えば微分回路を用いて実現することが可能である。【００６２】
（第４の実施の形態）
次に、本発明の第４の実施の形態について説明する。図１６に、第４の実施の形態における制御部４１０、４２０の構成を示す。制御部４１０、４２０は同じ構成である。本実施の形態の制御部４２０は、第１の実施の形態で使用されたものと同じ機能を持つラッチ指示部４６２と、第３の実施の形態で使用されたものと同じ機能を持つラッチ指示部４６３とを有する。また、第３の実施の形態と同様に、ラッチ指示部４６３にACT系の制御部４１０から出力されたアラーム信号が入力される。その他の部分は第１の実施の形態と同様である。【００６３】
次に、図１７に示すシーケンスチャートを参照して、ACT／STBY系切り替え時における制御部４１０、４２０のアラーム出力動作について、第１の実施の形態と異なる部分を中心に説明する。【００６４】
ステップ８において、ACT系制御部４１０からのアラーム信号が選択部４２６及び入力部４２７を経由してラッチ指示部４６３及び出力用レジスタ部４６１に到達する。ラッチ指示部４６３はアラーム信号のエッジを検出したことに応じてラッチ指示信号を出力用レジスタ部４６１に出力し（ステップ４１）、出力用レジスタ部４６１はアラーム信号を取り込み、出力する（ステップ４２）。アラーム信号は出力用レジスタ部４６１から出力制御部４２４に出力されるが、系切り替え制御信号は発生していないので、出力制御部４２４はOFFの状態にあり、アラーム信号の出力を行わない。【００６５】
その後、系切り替え制御信号が供給されると、ラッチ指示部４６２はラッチ指示信号を出力用レジスタ部４６１に出力し（ステップ４４）、出力用レジスタ部４６１は、アラーム信号を既に取り込んであるアラーム信号に上書きする（ステップ４５）。【００６６】
系切り替え制御信号により出力制御部４２４はONに切り替わっているので、出力制御部４２４はアラーム信号を出力する（ステップ４６）。また、この時点で出力部４２５もON状態にあるので、出力部４２５はアラーム出力を行う（ステップ４７）。【００６７】
次に、上記の切り替え動作における各部のアラームの状態を図１８に示すタイミングチャートを参照して説明する。図１８に示すタイミングチャートの参照記号は、図１６に示す参照記号に対応するものである。【００６８】
ACT系の制御部４１０において伝送装置の障害が検出されると、図１８（ｂ）のタイミングチャートに示すように、ACT系の制御部４１０からアラーム信号が出力される。このとき、ACT系の制御部４１０から出力されたアラーム信号はSTBY系の制御部４２０の選択部４２６、及び入力部４２７を介してラッチ指示部４６３及び出力用レジスタ部４６１に到達する（図１８（ｃ）、（ｄ））。【００６９】
ラッチ指示部４６３は、アラーム信号のエッジ検出を行うことによりアラーム信号を検出し（図１８（ｃ））、ラッチ指示信号を出力する（図１８（ｅ））。図１８（ｆ）に示すように、そのラッチ指示信号を受信した出力用レジスタ部４６１はアラーム信号を取り込み、出力を行う。ただし、出力制御部４２４はOFFの状態にあるため、図１８（ｉ）に示すように、この時点では出力制御部４２４からアラーム信号は出力されない。【００７０】
系切り替え事象が発生し、系切り替え制御信号が供給されると、図１８（ｇ）に示すように、切り替え制御信号がラッチ指示部４６２に入力される。ラッチ指示部４６２は、図１８（ｇ）に示す信号の変化を検出し、図１８（ｈ）に示すように、出力用レジスタ部４６１に対してラッチ指示信号としてのパルスを出力する。出力用レジスタ部４６１は、アラーム信号を取り込む動作をするが、すでにアラーム信号は取り込まれているため、出力用レジスタ部４６１はアラーム信号を上書きする動作を行う。また、図１８（ｉ）に示すように、出力制御部４２４は、系切り替え制御信号を受けてON状態となっているため、出力用レジスタ部４６１から出力されたアラーム信号を取り込み、出力する。図１８（ｊ）に示すように、出力部４２５も同様にしてアラーム信号を出力する。【００７１】
各部のこのような動作の結果、外部に出力されるアラーム信号は図１８（ａ）に示すとおりとなる。図１８（ａ）に示すように、アラーム信号の途切れなく、アラーム信号を出力することができる。【００７２】
なお、本実施の形態では第１の実施の形態で用いたラッチ指示部と、第３の実施の形態で用いたラッチ指示部とを組み合わせているが、第１の実施の形態で用いたラッチ指示部と、第２の実施の形態で用いたラッチ指示部とを組み合わせてもよい。【００７３】
本実施の形態によれば、仮にアラーム信号が到達した時点で出力用レジスタ部４６１へのアラーム信号取り込みに失敗したとしても、系切り替え事象が発生した時点で再度取り込み動作を行うので、ソフトウェア起動に伴う中断なくアラーム信号を出力できる。また、アラーム信号とは異なる信号を取り込んでしまった場合にも、系切り替え事象が発生した時点で再度取り込み動作を行うので、中断なくアラーム信号を出力できる。また、仮に系切り替え事象が発生した時点でのアラーム信号取り込みが失敗する状況が発生したとしても、系切り替え事象発生以前にアラーム信号の取り込みを行っているので、系切り替え事象が発生した時点でアラーム信号を出力できる。よって、本実施の形態によれば、より確実に、中断なくアラーム信号を出力できる。【００７４】
本発明は、上記の実施例に限定されることなく、特許請求の範囲内で種々変更・応用が可能である。各実施の形態では通信装置である伝送装置を例にとったが、冗長構成を採用した監視手段を備える情報処理装置であれば、どのような装置であっても本発明を適用することが可能である。
【図１】
2008149426.tif 000003
【図２】
2008149426.tif 000004
【図３】
2008149426.tif 000005
【図４】
2008149426.tif 000006
【図５】
2008149426.tif 000007
【図６】
2008149426.tif 000008
【図７】
2008149426.tif 000009
【図８】
2008149426.tif 000010
【図９】
2008149426.tif 000011
【図１０】
2008149426.tif 000012
【図１１】
2008149426.tif 000013
【図１２】
2008149426.tif 000014
【図１３】
2008149426.tif 000015
【図１４】
2008149426.tif 000016
【図１５】
2008149426.tif 000017
【図１６】
2008149426.tif 000018
【図１７】
2008149426.tif 000019
【図１８】
2008149426.tif 000020
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
情報処理装置に搭載可能に構成され、当該情報処理装置の異常を検出してアラーム信号を出力する機能を備えた監視装置であって、
前記異常を検出することによりアラーム信号を生成するアラーム信号生成部と、
前記アラーム信号生成部により生成された前記アラーム信号を格納するアラーム信号格納部と、
前記アラーム信号格納部に格納された前記アラーム信号を外部に出力するアラーム信号出力部と、
前記監視装置が待機状態にある場合に、運用状態にある他の監視装置から出力されたアラーム信号を入力する入力部と、
前記入力部により前記監視装置に入力された前記アラーム信号を前記アラーム信号格納部に格納させるための指示信号を前記アラーム信号格納部に出力するアラーム信号格納指示部と
を備えたことを特徴とする監視装置。
【請求項２】
前記アラーム信号格納指示部は、前記監視装置の状態を待機状態から運用状態に切り替えるための状態切り替え信号を検出したことに応じて、前記指示信号を前記アラーム信号格納部に出力する請求項１に記載の監視装置。
【請求項３】
前記アラーム信号格納指示部は、前記指示信号を周期的に前記アラーム信号格納部に出力する請求項１又は２に記載の監視装置。
【請求項４】
前記アラーム信号格納指示部は、前記入力部から入力された前記アラーム信号を検出したことに応じて、前記指示信号を前記アラーム信号格納部に出力する請求項１又は２に記載の監視装置。
【請求項５】
運用状態及び待機状態のうちのいずれかの状態をとる監視装置を複数備えた情報処理装置であって、各監視装置は、
前記情報処理装置の異常を検出することによりアラーム信号を生成するアラーム信号生成部と、
前記アラーム信号生成部により生成された前記アラーム信号を格納するアラーム信号格納部と、
前記アラーム信号格納部に格納された前記アラーム信号を外部に出力するアラーム信号出力部と、
前記監視装置が待機状態にある場合に、運用状態にある他の監視装置から出力されたアラーム信号を入力する入力部と、
前記入力部により前記監視装置に入力された前記アラーム信号を前記アラーム信号格納部に格納させるための指示信号を前記アラーム信号格納部に出力するアラーム信号格納指示部と
を備えたことを特徴とする情報処理装置。
【請求項６】
前記情報処理装置は、インターフェース部とスイッチ部とを含む通信装置である請求項５に記載の情報処理装置。
【請求項７】
運用状態及び待機状態のうちのいずれかの状態をとる監視装置を複数備えた情報処理装置におけるアラーム信号出力方法であって、
運用状態にある第１の監視装置が、前記情報処理装置の異常を検出することによりアラーム信号を生成し、当該アラーム信号を外部に出力し、
待機状態にある第２の監視装置が、前記第１の監視装置から出力された前記アラーム信号を入力し、当該入力された前記アラーム信号を前記第２の監視装置のアラーム信号格納部に格納させるための指示信号を前記アラーム信号格納部に出力し、
前記第２の監視装置の前記アラーム信号格納部は前記アラーム信号を格納し、
前記第２の監視装置が、当該第２の監視装置の状態を待機状態から運用状態に切り替えるための状態切り替え信号を検出したことに応じて、前記アラーム信号格納部に格納された前記アラーム信号を外部に出力する
ことを特徴とするアラーム信号出力方法。
【請求項８】
前記第２の監視装置は、前記状態切り替え信号を検出したことに応じて、前記指示信号を前記アラーム信号格納部に出力する請求項７に記載のアラーム信号出力方法。
【国際調査報告】
2008149426.tif 000021
2008149426.tif 000022